(57)【特許請求の範囲】
【請求項１】
高粘度のパテを収容する上部が解放可能なパテ用容器の内壁に遊嵌可能な断面形状の全部又は一部からなりパテ表面上に接触する底面部と、この底面部の全周縁部から上方に立ち上がった側壁部とを備えたパテ用容器内蓋であり、
前記内蓋がポリプロピレン製であり、
底面部と側壁部とで囲まれた器部内にヘラを載置させるヘラ載置部を備え、
前記内蓋をパテ用容器内からつまみ上げるためのつまみ部が前記側壁部の上縁部に設置され、
前記つまみ部の中央部に指を挿入できる指入れ孔が開閉可能に形成されていることを特徴とするパテ用容器内蓋。
【請求項２】
前記ヘラ載置部が、前記底面部に形成された前記ヘラの外形と一致する凹部であることを特徴とする請求項１に記載のパテ用容器内蓋。
【請求項３】
前記側壁部の上縁にパテ用容器の内壁に当接する薄膜が形成されていることを特徴とする請求項１又は２に記載のパテ用容器内蓋。
【発明の詳細な説明】
【技術分野】
【０００１】
本発明は、例えば内装用のパテ等の高粘度の液体を収容保存するパテ用容器の内蓋の構造に関するものである。
【背景技術】
【０００２】
壁紙施工用内装下地基材として、石膏ボード、合板が使用されている。壁紙施工前に、各々の下地基材を平滑にするためにパテ施工が行われている（例えば、特許文献１参照）。パテ施工は、下地基材のジョイント部のみではなく、下地基材を軽量鉄骨や木軸に固定するためのビス、釘頭の不陸調整にも使用されている。
【０００３】
下地基材間の不陸調整には、塗布幅が広く、且つ薄塗りでも下地基材や壁紙に接着する接着強度が高いパテが必要である。一方、ビス、釘頭の不陸調整には、少ない塗布面積でよく、強力な付着強度の必要はない。通常、ビス、釘は下地基材の固定に数多く打ち込まれていることから、必要特性としてはヤセが極めて少なく、短時間で硬化する専用パテが望まれている。具体的には、ヤセと乾燥時間とを短縮すべく充填剤が多く含まれ、いつでも、直ぐに塗布できるよう予め練ってある水性系練りパテが好まれる。
【先行技術文献】
【特許文献】
【０００４】
【特許文献１】特開２００１−４０２７７号公報
【発明の概要】
【発明が解決しようとする課題】
【０００５】
前述の通り、ビス、釘頭用パテは塗布後の乾燥時間が短い練り状パテのため、充填した容器の密閉性が悪くなると、たちまち容器内表面から乾燥が始まり、硬化してしまう。また、容器内の中身表面と密閉した上蓋との間に空間があると、中身から蒸散した水蒸気が容器内に充満する。充満した水蒸気は気温の変化に伴い、結露し、パテ表面に滞る。パテの表面部分の水分量が違うため、乾燥時間が延長したり、あるいは付着強度の低下を発生させる等の課題があった。
【０００６】
また、ビス、釘頭は塗布箇所は多いが、塗布量は極少量でよいので、必要に応じて少量ずつ、中身を容器から取り出せるヘラがあれば便利である。取り出しヘラは容器内に納まる程度の小さなサイズでよく、しかも付着したパテの洗浄が容易なプラスチック製が便利である。しかしながら、このような小さなプラスチック製ヘラは専用の保管箇所がないと、紛失し易いものであった。
【０００７】
本発明は、水性のパテを収容するパテ用容器内で内部結露を防止しつつ、取り出し用のヘラを定位置に仮固定して保管することができるパテ用容器内蓋を得ることを目的とする。
【課題を解決するための手段】
【０００８】
請求項１に記載された発明に係るパテ用容器内蓋は、高粘度のパテを収容する上部が解放可能なパテ用容器の内壁に遊嵌可能な断面形状の全部又は一部からなりパテ表面上に接触する底面部と、この底面部の全周縁部から上方に立ち上がった側壁部とを備えたパテ用容器内蓋であり、
前記内蓋がポリプロピレン製であり、
底面部と側壁部とで囲まれた器部内にヘラを載置させるヘラ載置部を備え、
前記内蓋をパテ用容器内からつまみ上げるためのつまみ部が前記側壁部の上縁部に設置され、
前記つまみ部の中央部に指を挿入できる指入れ孔が開閉可能に形成されていることを特徴とするものである。
【００１０】
請求項２に記載された発明に係るパテ用容器内蓋は、請求項１に記載のヘラ載置部が、前記底面部に形成された前記ヘラの外形と一致する凹部であることを特徴とするものである。
【００１１】
請求項３に記載された発明に係るパテ用容器内蓋は、請求項１又は２に記載の側壁部の上縁にパテ用容器の内壁に当接する薄膜が形成されていることを特徴とするものである。
【発明の効果】
【００１２】
本発明は、水性のパテを収容するパテ用容器内で内部結露を防止しつつ、取り出し用のヘラを定位置に仮固定して保管することができるという効果がある。
【図面の簡単な説明】
【００１３】
【図１】パテ用容器内蓋の一実施例の構成を示す平面図である。
【図２】図１の正面図である。
【図３】図１の背面図である。
【図４】図１の底面図である。
【図５】図１の右側面図である。
【図６】図１の左側面図である。
【図７】図１のＡ−Ａ断面図であり、要部の拡大図を含む。
【図８】図１の斜視図である。
【図９】パテ用容器内蓋の使用状態を示す説明図である。
【図１０】パテ用容器内蓋の別の使用状態を示す説明図である。
【発明を実施するための形態】
【００１４】
本発明においては、高粘度のパテを収容する上部が解放可能なパテ用容器の内壁に遊嵌可能な断面形状の全部又は一部からなりパテ表面上に接触する底面部と、この底面部の全周縁部から上方に立ち上がった側壁部とを備えたパテ用容器内蓋であり、前記内蓋がパテが付着し難い材料で構成され、底面部と側壁部とで囲まれた器部内にヘラを載置させるヘラ載置部を備え、前記内蓋をパテ用容器内からつまみ上げるためのつまみ部が前記側壁部の上縁部に設置され、前記つまみ部の中央部に指を挿入できる指入れ孔が開閉可能に形成されている。これにより、水性のパテを収容するパテ用容器内で内部結露を防止しつつ、取り出し用のヘラを定位置に仮固定して保管することができる。
【００１５】
本発明の内蓋は、パテ用容器のパテ表面上に接触させる。このため、パテの量に応じて、次第にパテ用容器の下方に位置が下がる。このため、好ましい態様としては、使用時に内蓋をパテ用容器の外に出すため、パテ用容器内からつまみ上げるためのつまみ部が側壁部の上縁部に設置されている。
【００１６】
本発明の内蓋には、底面部と側壁部とで囲まれた器部内にヘラを載置させるヘラ載置部を備えている。このため、掻き取り用のヘラを容器内に保持することができ、作業性が向上する。好ましい態様としては、ヘラの外形と一致する凹部が底面部に形成されることにより、ヘラ自体を紛失することが少なくなる。
【００１７】
また、本発明の内蓋としては、底面部とこの底面部の全周縁部から上方に立ち上がった側壁部とを備える。底面部としては、パテ用容器の内壁に遊嵌可能な断面形状の全部又は一部からなればよい。底面部がパテ表面と接触することにより、パテ表面からの水蒸気の発生を防止することにより、内部結露が防止される。従って、好ましくは底面部がパテ用容器の底面と合致することがパテ表面からの水蒸気の発生を防止する。
【００１８】
しかしながら、パテ用容器等の容器の多くは底面よりも上方開放口の方が広くなっている。このため、内蓋の底面部を容器の底面に合致する形状としても、容器の上方では拡径しているため、内蓋周囲に形成される間隙から水蒸気が容器内部に至ることになる。このため好ましい態様としては、側壁部の上縁にパテ用容器の内壁に当接する薄膜が形成されている。
【００１９】
本発明の内蓋としては、パテが付着し難い材料であればよく、好ましくはプラスチックで構成される。また、熱可塑性樹脂シートであれば成型が可能であるが、好ましくはポリプロピレン樹脂等の可撓性を有するものを用いることにより、真空成型等の加工性が良好である。
【実施例】
【００２０】
図１はパテ用容器内蓋の一実施例の構成を示す平面図である。図２は図１の正面図である。図３は図１の背面図である。図４は図１の底面図である。図５は図１の右側面図である。図６は図１の左側面図である。図７は図１のＡ−Ａ断面図であり、要部の拡大図を含む。図８は図１の斜視図である。図９はパテ用容器内蓋の使用状態を示す説明図である。図１０はパテ用容器内蓋の別の使用状態を示す説明図である。
【００２１】
図に示す通り、本実施例のパテ用容器内蓋１０は熱可塑性樹脂であるポリプロピレン製であり、水性パテを収容するパテ用容器のパテ表面上に載置されるための底面部１１と底面部１１の周囲から立上った側壁部１２から構成されている。
【００２２】
底面部１１は円周の全面にわたらず、側壁部１２の一部を（図１の３時部分に該当）内面側に移設させたような構成であり、側壁部１２がＣ字状に対向するように配置されて、つまみ部１３を構成している。つまみ部１３の上面は覆われているが、その中央部に指を挿入できる指入れ孔１４が開閉可能に形成されている。
【００２３】
図９に示す通り、内蓋１０の底面部１１は、パテ用容器２０のパテ２１表面上に接触させる。このため、パテ２１の量に応じて、次第にパテ用容器２０の下方に位置が下がる。このため、パテを取り出す際には、内蓋１０をパテ用容器２０の外に出すため、つまみ部１３及び指入れ孔１４を用いて、パテ用容器２０内からつまみ上げることができる。
【００２４】
底面部１１には、ヘラ３０の外形と一致する凹部としてのヘラ載置部１５を備えている。このため、取り出し用のヘラ３０を保持することができ、作業性が向上し、ヘラ３０自体を紛失することが少なくなる。
【００２５】
図９に示す通り、パテ２１液面の殆どが内蓋１０の底面部１１に接触するため、パテの水分が蒸発することが大部分押さえられることになるが、内蓋１０の側壁部１２の上縁及びつまみ部１３の外周縁には、薄膜１６が更に形成されている。この薄膜１６によって、水性のパテ２１を収容するパテ用容器２０内で内部結露を防止することができる。これにより、パテ用容器２０が底面よりも上方開放口の方が広くなっていても、内蓋１０周囲に形成される間隙から水蒸気が容器２０内部に至ることになる。
【００２６】
この薄膜１６は、内蓋１０本体と同じ材質のポリプロピレン製であり、内蓋１０の成形の際に材料を薄く延ばして形成される。尚、本実施例では内蓋本体と同じ材質のものとして成形と同時に形成したが、さらに可撓性の高いゴム状の材質のものを内蓋１０本体の成形後に追加して取付けてもよい。
【符号の説明】
【００２７】
１０…パテ用容器内蓋、
１１…底面部、
１２…側壁部、
１３…つまみ部、
１４…指入れ孔、
１５…ヘラ載置部、
１６…薄膜、
２０…パテ用容器、
２１…パテ、
２２…容器上蓋、
３０…ヘラ、
【図１】
0005795512.tif 000002
【図２】
0005795512.tif 000003
【図３】
0005795512.tif 000004
【図４】
0005795512.tif 000005
【図５】
0005795512.tif 000006
【図６】
0005795512.tif 000007
【図７】
0005795512.tif 000008
【図８】
0005795512.tif 000009
【図９】
0005795512.tif 000010
【図１０】
0005795512.tif 000011